(57)【要約】【課題】収納する電線束が多い場合でも係止作業の作業性が良いワイヤハーネスのプロテクタ挿通構造を提供する。【解決手段】プロテクタ３０が、電線束１２に外装された係合部材２０と電線束１２の径方向で凹凸係合する凹凸係合部３５、３６を有する一方、係合部材２０およびプロテクタ３０が、その挿通孔３４の中心軸線に対する傾斜方向で互いに異なる角度位置に配置される第１挿入ガイド面および第２挿入ガイド面３７、３８を有しており、係合部材２０のプロテクタ３０への挿入時に、両ガイド面３７、３８等が互いに圧接係合し、係合部材２０が凹凸係合部３５、３６に凹凸係合するまでに係合部材２０の挿入深さに応じてプロテクタ３０が径方向の外側に撓み、その挿入深さが設定深さに達したとき、プロテクタ３０が凹凸係合部３５、３６を係合部材２０に凹凸係合させる形状に復帰する。【選択図】図３
2016171621.tif 000002
【特許請求の範囲】
【請求項１】
複数の電線を含む電線束が挿通される挿通孔を形成するプロテクタと、
前記電線束に外装されるとともに、前記プロテクタに対して前記挿通孔の中心軸線方向への移動が規制されるように係合する係合部材と、を備えるワイヤハーネスのプロテクタ挿通構造であって、
前記プロテクタが、前記電線束の径方向で前記係合部材と凹凸係合して、前記挿通孔の中心軸線方向への前記係合部材の移動を規制する凹凸係合部を有する一方、
前記係合部材および前記プロテクタが、前記挿通孔の前記中心軸線に対する傾斜方向で互いに異なる角度位置に配置され、前記係合部材の前記プロテクタへの挿入時に互いに圧接係合する第１挿入ガイド面および第２挿入ガイド面を有しており、
前記係合部材が前記プロテクタに挿入されるとき、前記係合部材が前記凹凸係合部に凹凸係合するまでに前記係合部材の挿入深さに応じて前記プロテクタが前記径方向の外側に撓み、前記係合部材の挿入深さが前記設定深さに達したとき、前記プロテクタが前記凹凸係合部を前記係合部材に凹凸係合させる形状に復帰することを特徴とするワイヤハーネスのプロテクタ挿通構造。
【請求項２】
前記係合部材が、前記電線束を取り囲むよう周方向に延びる結束部と、前記結束部に支持されつつ前記第１挿入ガイド面を形成する内側の嵌合部とを含んで構成されていることを特徴とする請求項１に記載のワイヤハーネスのプロテクタ挿通構造。
【請求項３】
前記係合部材が、バックル部と、一端側で該バックル部に一体に結合され、他端側から前記バックル部に抜け止め可能に挿入されるバンド部とを有する結束バンドを含み、
前記内側の嵌合部が、前記バックル部に一体に支持された内側の一方の嵌合部と、前記バンド部に対し該バンド部の長さ方向で抜け止め可能に位置決め保持された内側の他方の嵌合部とによって構成されていることを特徴とする請求項２に記載のワイヤハーネスのプロテクタ挿通構造。
【発明の詳細な説明】
【技術分野】
【０００１】
本発明は、電線束の長さ方向の移動をプロテクタによって規制可能なワイヤハーネスのプロテクタ挿通構造に関する。
【背景技術】
【０００２】
自動車等の車両に実装されるワイヤハーネスにおいては、それぞれサブハーネスとして結束された複数の電線束をプロテクタに収納して保護することが多いが、その場合に、各電線束に外装された結束バンド等をプロテクタに係止または凹凸係合させることで、電線束の電線長さ方向への移動を規制可能にしたプロテクタ挿通構造が知られている（例えば、特許文献１、２参照）。
【０００３】
また、電線に外装されるコルゲートチューブ等の外装材の電線長さ方向への移動を規制可能にしたものも知られている（例えば、特許文献３参照）。
【先行技術文献】
【特許文献】
【０００４】
【特許文献１】特開２００６−２４６６６３号公報
【特許文献２】特開２０１０−２０６９８７号公報
【特許文献３】特開２０１４−９０５５２号公報
【発明の概要】
【発明が解決しようとする課題】
【０００５】
しかしながら、前述のような従来のワイヤハーネスのプロテクタ挿通構造にあっては、プロテクタの内壁部に結束バンドやコルゲートチューブ等の外装材を係止または凹凸係合させる構成であった。そのため、電線束数が多くなると、それら電線束に外装される部品をプロテクタに係止させたり電線長さ方向への移動を規制可能に凹凸係合させたりする作業（以下、係止作業という）が困難になっていた。
【０００６】
また、複数の電線束がプロテクタ内に上下に重ねて収納される場合、係止作業が特定の作業手順に制限されることで、プロテクタに対する電線束の収納および係止作業の作業性がより悪くなっていた。
【０００７】
さらに、プロテクタに複数の電線束を収納し、プロテクタの蓋部をロック状態に閉じてしまうと、一部の電線束の係止作業がもれていた場合には、その蓋部を開けるためにプロテクタを部分的に破壊したり変形させたりしなければならず、その場合、プロテクタが使用できなくなっていた。
【０００８】
本発明は、このような従来の未解決の課題を解決すべくなされたものであり、収納する電線束が多い場合でも係止作業の作業性が良いワイヤハーネスのプロテクタ挿通構造を提供することを目的とする。
【課題を解決するための手段】
【０００９】
本発明に係るワイヤハーネスのプロテクタ挿通構造は、上記目的達成のため、複数の電線を含む電線束が挿通される挿通孔を形成するプロテクタと、前記電線束に外装されるとともに、前記プロテクタに対して前記挿通孔の中心軸線方向への移動が規制されるように係合する係合部材と、を備えるワイヤハーネスのプロテクタ挿通構造であって、前記プロテクタが、前記電線束の径方向で前記係合部材と凹凸係合して、前記挿通孔の中心軸線方向への前記係合部材の移動を規制する凹凸係合部を有する一方、前記係合部材および前記プロテクタが、前記挿通孔の前記中心軸線に対する傾斜方向で互いに異なる角度位置に配置され、前記係合部材の前記プロテクタへの挿入時に互いに圧接係合する第１挿入ガイド面および第２挿入ガイド面を有しており、前記係合部材が前記プロテクタに挿入されるとき、前記係合部材が前記凹凸係合部に凹凸係合するまでに前記係合部材の挿入深さに応じて前記プロテクタが前記径方向の外側に撓み、前記係合部材の挿入深さが前記設定深さに達したとき、前記プロテクタが前記凹凸係合部を前記係合部材に凹凸係合させる形状に復帰するように構成されている。
【００１０】
この構成により、電線束に外装された係合部材がプロテクタに挿入されると、係合部材の挿入深さに応じてプロテクタが電線束の径方向の外側に撓み、係合部材の挿入深さが設定深さに達すると、プロテクタが凹凸係合部を係合部材に凹凸係合させる。したがって、電線束に外装された係合部材をプロテクタに設定深さまで一度挿入するだけで、係合部材を電線長さ方向に移動規制可能に係合させる係止作業が可能となり、収納する電線束が多い場合でも係止作業の作業性が良いプロテクタ挿通構造となる。
【００１１】
本発明のワイヤハーネスのプロテクタ挿通構造においては、前記係合部材が、前記電線束を取り囲むよう周方向に延びる結束部と、前記結束部に支持されつつ前記第１挿入ガイド面を形成する内側の嵌合部とを含んで構成されているとよい。
【００１２】
この場合、係合部材の結束部によって電線束を結束すること、あるいは、電線束に外装されたスリット付きコルゲートチューブその他の外装材を結束することが可能で、しかも、その係合部材による結束部位をプロテクタに移動規制可能に凹凸係合させることになるので、部品点数や作業工数を抑えることができる。
【００１３】
また、本発明のワイヤハーネスのプロテクタ挿通構造においては、前記係合部材が、バックル部と、一端側で該バックル部に一体に結合され、他端側から前記バックル部に抜け止め可能に挿入されるバンド部とを有する結束バンドを含み、前記内側の嵌合部が、前記バックル部に一体に支持された内側の一方の嵌合部と、前記バンド部に対し該バンド部の長さ方向で抜け止め可能に位置決め保持された内側の他方の嵌合部とによって構成されていてもよい。
【００１４】
この場合、内側の一方の嵌合部がバックル部に支持されるので、結束バンドが電線長さ方向への移動を規制されるだけでなく、周方向への移動（回動）も規制可能となる。しかも、内側の他方の嵌合部がバンド部に対してその長さ方向で抜け止め可能に位置決め保持されることから、係合部材を束径の異なる複数種の電線束に使用することができる。
【００１５】
なお、内側の一方の嵌合部を結束バンドに一体に支持させるのでなく、内側の他方の嵌合部と同一形状の部品によって構成し、結束バンドは結束および両嵌合部の位置決めに使用するようにしてもよい。
【発明の効果】
【００１６】
本発明によれば、収納する電線束が多い場合でも係止作業の作業性が良いワイヤハーネスのプロテクタ挿通構造を提供することができる。
【図面の簡単な説明】
【００１７】
【図１】本発明の第１の実施の形態に係るワイヤハーネスのプロテクタ挿通構造におけるプロテクタの要部斜視図である。
【図２】本発明の第１の実施の形態に係るワイヤハーネスのプロテクタ挿通構造における係合部材を外装した電線束の斜視図である。
【図３】本発明の第１の実施の形態に係るワイヤハーネスのプロテクタ挿通構造における係合部材を外装した電線束をプロテクタに挿入する段階を示す要部斜視図である。
【図４】（ａ）は、本発明の第１の実施の形態に係るワイヤハーネスのプロテクタ挿通構造における係合部材を外装した電線束の横断面図であり、（ｂ）は、その電線束のプロテクタへの挿入開始時における嵌合状態を示す横断面図である。
【図５】（ａ）は、本発明の第１の実施の形態に係るワイヤハーネスのプロテクタ挿通構造におけるプロテクタとその一端から挿入される係合部材との挿入開始時の嵌合状態および挿入途中での撓み状態を示す縦断面図であり、（ｂ）は、それらプロテクタおよび係合部材の移動規制可能な凹凸係合状態を示す縦断面図である。
【図６】本発明の第１の実施の形態に係るワイヤハーネスのプロテクタ挿通構造におけるプロテクタとその一端から設定位置まで挿入された係合部材との移動規制可能な凹凸係合状態を示す斜視図である。
【図７】（ａ）は、本発明の第２の実施の形態に係るワイヤハーネスのプロテクタ挿通構造における複数種のプロテクタを一体化した統合プロテクタの斜視図であり、（ｂ）は、第２の実施の形態に係るワイヤハーネスのプロテクタ挿通構造における係合部材が外装された電線束を、その統合プロテクタのうち特定のプロテクタ内に挿入する段階を示す要部斜視図である。
【発明を実施するための形態】
【００１８】
以下、本発明を実施するための形態について図面を参照して説明する。
【００１９】
（第１の実施の形態）
図１ないし図５は、本発明の第１の実施の形態に係るワイヤハーネスのプロテクタ挿通構造を示している。
【００２０】
図１ないし図３に示すように、本実施形態のワイヤハーネス１０は、それぞれ絶縁被覆された複数本の電線１１を含む電線束１２にスリット付きのコルゲートチューブ１５を外装するとともに、電線束１２およびコルゲートチューブ１５を取り囲むように係合部材２０を外装したものである。
【００２１】
そして、コルゲートチューブ１５および係合部材２０が外装されたワイヤハーネス１０の特定の長さ区間Ｚを、略角形筒状のプロテクタ３０に収納して、ワイヤハーネス１０の特定の長さ区間Ｚをプロテクタ３０によって保護するようになっている。
【００２２】
ワイヤハーネス１０は、複数の電線１１に図示しない複数の接続端子やコネクタ等を装着してユニット化したものであり、車両に搭載される電装機器を電源や制御機器等に接続できるように構成されている。
【００２３】
複数の電線１１は、それぞれ線状の導体１１ａと、その導体１１ａを囲む筒状の被覆１１ｂとを有しており、導体１１ａは、例えば複数本の軟銅線である素線を撚り合わせた円形より線で構成されている。勿論、より線でなく単線の芯線として構成されてもよい。被覆１１ｂは、例えばポリ塩化ビニルまたはポリエチレン等を主体とする樹脂（合成樹脂）製の円筒形の絶縁材で構成されている。
【００２４】
電線束１２は、図２から図４においては４本の電線１１を有するものとして図示しているが、その本数は任意である。
【００２５】
コルゲートチューブ１５は、例えばポリプロピレンやナイロン樹脂等の絶縁性の樹脂からなる可撓性の蛇腹管であり、その外周面が波形の縦断面形状をなすよう複数の環状の凹凸を有している。
【００２６】
また、コルゲートチューブ１５は、軸線方向に延びる少なくとも１本のスリット１５ａを有しており、例えば複数のスリット１５ａによって一対の略半円筒部分１５ｂ、１５ｃに分割されている。
【００２７】
図２に示すように、係合部材２０は、コルゲートチューブ１５の一対の略半円筒部分１５ｂ、１５ｃを電線束１２を取り囲む状態に結束しており、コルゲートチューブ１５を介して電線束１２を特定の長さ区間Ｚにおいて所定半径内に経路規制しているか、コルゲートチューブ１５の弾性変形代を残しつつ結束している。
【００２８】
図１および図３に示すように、プロテクタ３０は、電線束１２の収納が可能な凹部３１を形成するプロテクタ本体部３２と、凹部３１の開口側（図１中の上方側）に開閉可能に配置された蓋部３３とを備えている。このプロテクタ本体部３２は、蓋部３３によって凹部３１の開放端を閉止されたとき、凹部３１に対応する電線挿通孔３４を形成するようになっている。
【００２９】
プロテクタ本体部３２は、全体として溝状の凹部３１を形成する所定長さの樹脂製のものであり、その横断面が略Ｕ字形状の凹形状をなしている。また、蓋部３３は、プロテクタ本体部３２の側壁３２ａ、３２ｂ（図５参照）によって閉蓋状態に支持され得る所定長さの樹脂製の板状体であり、プロテクタ本体部３２と略同一幅である。ここにいう樹脂は、例えばポリプロピレンまたはポリアミド樹脂である。
【００３０】
プロテクタ３０は、これらプロテクタ本体部３２および蓋部３３により、全体として略正方形または長方形の横断面となる角筒状に構成されている。プロテクタ本体部３２および蓋部３３を一体に成形して、プロテクタ３０を単一の部品としてもよいことはいうまでもない。
【００３１】
図２および図３に示すように、プロテクタ３０には、互いに平行に延在する複数、例えば４本の電線１１を含む電線束１２が収納される。
【００３２】
一方、係合部材２０は、電線束１２に外装されるとともに、プロテクタ３０に対して、挿通孔３４の中心軸線Ｃ（図１参照）の延在方向への移動が規制されるように係合している。
【００３３】
具体的には、プロテクタ３０は、電線束１２の径方向である図１ないし図４中の上下方向において係合部材２０に凹凸係合する一対の凹凸係合部３５、３６を有しており、これら一対の凹凸係合部３５、３６により、電線束１２に外装された係合部材２０およびコルゲートチューブ１５の電線長さ方向への移動を規制するようになっている。
【００３４】
また、係合部材２０およびプロテクタ３０は、挿通孔３４の中心軸線Ｃに対する傾斜方向で互いに異なる角度位置に配置された、第１挿入ガイド面２１、２２および第２挿入ガイド面３７、３８を有している。そして、第１挿入ガイド面２１、２２および第２挿入ガイド面３７、３８は、係合部材２０のプロテクタ３０への挿入時に、図４（ｂ）および図５（ａ）に示すように、係合部材２０の上下両側で互いに圧接係合するようになっている。
【００３５】
より具体的には、図２に示すように、係合部材２０は、電線束１２を取り囲むよう周方向に延びるバンド状の結束部２５と、結束部２５に支持されつつ第１挿入ガイド面２１、２２を形成する内側の嵌合部２６、２７とを含んで構成されている。
【００３６】
係合部材２０の結束部２５は、バックル部２５ａと、一端側でそのバックル部２５ａに一体に結合され、他端側からバックル部２５ａに抜け止め可能に挿入されるバンド部２５ｂとを有する結束バンドによって構成されている。
【００３７】
内側の嵌合部２６（内側の一方の嵌合部）は、一方の板状スライダ部分２６ａと、一方の板状スライダ部分２６ａをバックル部２５ａに一体に支持させる支持結合部２６ｂとによって構成されている。
【００３８】
また、結束部２５には、結束部２５のうちバンド部２５ｂが切除されたバックル部２５ａのみと略同一構成の追加バックル部２８が装着されており、内側の他方の嵌合部２７（内側の他方の嵌合部）は、他方の板状スライダ部分２７ａと、追加バックル部２８に対して他方の板状スライダ部分２７ａを一体に支持させる支持結合部２７ｂとによって構成されている。
【００３９】
図５（ａ）および図５（ｂ）に模式的に示すように、結束部２５のバックル部２５ａには、バンド部２５ｂの外面側の鋸刃状断面の凹凸に向かって突出する複数のロック爪２５ｃと、バックル部２５ａ内に挿入されたバンド部２５ｂを背面側からロック爪２５ｃ側に押し付けるようバンド部２５ｂを湾曲させる案内面２５ｄとが設けられている。
【００４０】
挿通孔３４の中心軸線Ｃと平行なプロテクタ３０の上下内壁面に対する係合部材２０側の第１挿入ガイド面２１、２２の傾斜角度θ１は、そのプロテクタ３０の上下内壁面に対するプロテクタ３０側の第２挿入ガイド面３７、３８の傾斜角度θ２より大きい角度となっている。
【００４１】
また、第１挿入ガイド面２１、２２の挿入方向前方側の端縁部の離間距離は、プロテクタ３０側の第２挿入ガイド面３７、３８の挿入口側の端縁部の離間距離Ｈ（図５（ｂ）参照）より小さくなっており、係合部材２０をプロテクタ３０内の挿通孔３４内に容易に差し込むことができるようになっている。
【００４２】
さらに、プロテクタ３０の筒状壁部は、係合部材２０をプロテクタ３０に挿入するときに図５（ａ）中に仮想線で示すように径方向の外側に撓むことができる程度の弾性および曲げ剛性を有している。
【００４３】
したがって、係合部材２０がプロテクタ３０に挿入されるとき、係合部材２０が凹凸係合部３５、３６に凹凸係合するまでに、係合部材２０の挿入深さに応じてプロテクタ３０が径方向の外側に撓む。そして、係合部材２０の挿入深さが予め設定された設定深さに達したとき、図５（ｂ）および図６に示すように、プロテクタ３０は、その内奥側の凹凸係合部３５、３６のストッパ部３５ａ、３６ａを係合部材２０の挿入方向における内側の嵌合部２６、２７の前端面に近接させつつ、径方向の内方側に復帰し、凹凸係合部３５、３６を係合部材２０の内側の嵌合部２６、２７に凹凸係合させることができる。
【００４４】
凹凸係合部３５、３６は、ここではプロテクタ３０の筒壁を貫通する貫通口の開口内周縁部によって構成されているが、プロテクタ３０の筒壁を貫通しない凹部の内周部分で構成されてもよい。また、図示の便宜上、図５中では電線束１２の図示を省略し、その後の状態を示す図６においても電線束１２の図示を省略しているが、電線束１２が挿通されているものである。
【００４５】
次に、作用について説明する。
【００４６】
上述のように構成された本実施形態のワイヤハーネスのプロテクタ挿通構造では、電線束１２に外装された係合部材２０がプロテクタ３０に挿入されると、図５(ａ)中に仮想線で示すように、係合部材２０の挿入深さに応じてプロテクタ３０が電線束１２の径方向の外側に撓み、図５(ｂ)に示すように、係合部材２０の挿入深さが設定深さに達すると、プロテクタ３０が凹凸係合部３５、３６を係合部材２０に凹凸係合させる。
【００４７】
したがって、電線束１２に外装された係合部材２０をプロテクタ３０に設定深さまで一度挿入するだけで、係合部材２０を電線長さ方向に移動規制可能に係合させる係止作業が可能となり、収納する電線束１２の数が多い場合であってもそれらの係止作業における良好な作業性が得られる。
【００４８】
また、本実施形態では、係合部材２０が、電線束１２を取り囲む結束部２５と、結束部２５に支持されつつ第１挿入ガイド面２１、２２を形成する内側の嵌合部２６、２７とを含んで構成されるので、係合部材２０の結束部２５によって電線束１２の結束、あるいは、電線束１２に外装されたスリット付きコルゲートチューブ１５（その他の外装材でもよい）を確実に結束できる。しかも、その係合部材２０による結束部位をプロテクタ３０に移動規制可能に凹凸係合させることになるので、部品点数やワイヤハーネス１０の製造中の作業工数を抑えることができる。
【００４９】
さらに、本実施形態では、内側の一方の嵌合部２６が結束部２５のバックル部２５ａに一体に支持されるので、結束バンドからなる結束部２５が電線長さ方向への移動を規制されるだけでなく、周方向への移動（回動）も規制される。したがって、係合部材２０によるワイヤハーネス１０の特定の配索区間Ｚにおける回路規制または結束の機能と、電線長さ方向の移動規制の機能とを、安定確保できる。
【００５０】
このように、本実施形態によれば、収納する電線束１２が多い場合でも係止作業の作業性が良いワイヤハーネスの挿通構造を提供することができる。
【００５１】
（第２の実施の形態）
図７（ａ）および図７（ｂ）は、本発明の第２の実施の形態に係るワイヤハーネスのプロテクタ挿通構造を示している。
【００５２】
本実施形態は、複数種のプロテクタを一体化した統合プロテクタに対して、係合部材が外装された束径の異なる電線束を、その統合プロテクタの対応するプロテクタ内に挿入するようにしたものである。
【００５３】
具体的には、図７（ａ）および図７（ｂ）に示すように、本実施形態における統合プロテクタ５０は、第１の実施の形態におけるプロテクタ３０と同様の内壁形状を有する第１のプロテクタ５１と、この第１のプロテクタ５１より同図中の左右の幅が狭い第２のプロテクタ５２と、両プロテクタ５１、５２に対して同図中の上側に位置する第３のプロテクタ５３および第４のプロテクタ５４と、これら第１ないし第４のプロテクタに対して同図中の右側に位置する大径の第５のプロテクタ５５とを含んでいる。
【００５４】
また、統合プロテクタ５０は、図７（ａ）に示すように左右に展開した状態で、第１ないし第５のプロテクタ５１〜５５をすべて開放させることができるようになっている。
【００５５】
より具体的には、統合プロテクタ５０は、第１、第２および第５のプロテクタ５１、５２、５５のプロテクタ本体部に相当する本体部５６と、その本体部５６の同図中左端側に回動可能に支持された中蓋部５７と、本体部５６の同図中右端側に回動可能に支持された外蓋部５８とによって構成されている。
【００５６】
本体部５６は、第１、第２および第５のプロテクタ５１、５２、５５のプロテクタ本体部に相当する複数のプロテクタ本体部５１ａ、５２ａ、５５ａを有している。中蓋部５７は、第１および第２のプロテクタ５１、５２の蓋部に相当する蓋部５１ｂを有しており、外蓋部５８は、第３ないし第５のプロテクタ５３〜５５の蓋部に相当する蓋部５３ｂを有している。
【００５７】
また、中蓋部５７は、図７（ａ）中の左端側に位置する回動端側にロック爪部５７ａを有しており、中蓋部５７が本体部５６に接近するよう同図中で時計回り方向に回動したときにロック爪部５７ａが本体部５６の一部に形成されたロック孔部５６ａに抜け止め可能に係止されるようになっている。
【００５８】
また、外蓋部５８は、図７（ａ）中の右端側に位置する回動端側にロック爪部５８ａを有しており、外蓋部５８が本体部５６に接近するよう同図中で反時計回り方向に回動したときにロック爪部５８ａが本体部５６の一部に形成されたロック孔部５６ｂに抜け止め可能に係止されるようになっている。
【００５９】
さらに、図７（ｂ）に示すような中蓋部５７の係止状態で、その上方側に突出するように、中蓋部５７には複数、例えば一対のロック爪部５７ｂ、５７ｃが設けられており、これらロック爪部５７ｂ、５７ｃは、外蓋部５８に設けられた複数のロック孔部５８ｂ、５８ｃに抜け止め可能に係止されるようになっている。
【００６０】
そして、第１のプロテクタ５１には、第１の実施の形態における電線束１２と同様の電線束が挿入され、第２のプロテクタ５２には、第１の実施の形態における電線束１２より束径が小さく、係合部材２０が外装された電線束が挿通されるようになっている。
【００６１】
第３および第４のプロテクタ５３、５４には、外径の異なるコルゲートチューブが外装された異種の電線束が挿通され、第５のプロテクタ５５には、第３および第４のプロテクタ５３、５４に挿通される電線束に外装されたコルゲートチューブよりも大径のコルゲートチューブが外装された束径の大きい電線束が挿通されるようになっている。
【００６２】
したがって、中蓋部５７の図７（ｂ）中の上面側は、第３および第４のプロテクタ５３、５４のプロテクタ本体部に相当するコルゲートチューブ用の抜け止め構造を有する複数のプロテクタ本体部５３ａ、５４ａが設けられている。また、外蓋部５８の蓋部５３ｂは、第３ないし第５のプロテクタ５３〜５５に係止されるコルゲートチューブに対応する抜け止め構造を有している。そして、中蓋部５７を閉じた後で、第３ないし第５のプロテクタ５３〜５５に、対応するコルゲートチューブがそれぞれ係止されるとともに、それぞれの電線束が挿通される。
【００６３】
本実施形態においては、中蓋部５７のロック爪部５７ａを本体部５６のロック孔部５６ｂに係止した状態で、電線束１２に外装された係合部材２０を第１のプロテクタ５１に設定深さまで一度挿入するだけで、係合部材２０を電線長さ方向に移動規制可能に係合させる係止作業が可能となる。また、電線束１２より小径の電線束に外装された係合部材２０を第２のプロテクタ５２に設定深さまで一度挿入するだけで、その係合部材２０を電線長さ方向に移動規制可能に係合させる係止作業が可能となる。
【００６４】
図７（ｂ）中では、電線束１２を全体として第１のプロテクタ５１に挿入するように見えるが、電線束１２を構成する複数の電線１１を中蓋部５７の閉止前にプロテクタ本体部５１ａ内に収納してもよいことはいうまでもない。第１のプロテクタ５１についても同様である。
【００６５】
本実施形態においても、複数の電線束数が多い場合であっても、それらの係止作業における良好な作業性が得られる。しかも、統合プロテクタ５０を用いるので、部品点数やワイヤハーネスの製造中の作業工数をさらに抑えることができる。
【００６６】
このように、本実施形態においても、収納する電線束数が多い場合でも係止作業の作業性が良いワイヤハーネスの挿通構造を提供することができる。
【００６７】
なお、上述の各実施形態では、内側の一方の嵌合部２６を結束部２５のバックル部２５ａに一体に支持させるものとしたが、内側の一方の嵌合部２６を内側の他方の嵌合部２７と同様に構成してもよい。すなわち、内側の一方の嵌合部２６は、一方の板状スライダ部分２６ａと、結束部２５のうちバンド部２５ｂが切除されたバックル部２５ａのみと略同一構成の追加バックル部２８と、一方方の板状スライダ部分２６ａを追加のバックル部２８に一体に支持させる支持結合部２６ｂとによって構成されてもよい。
【００６８】
また、内側の一対の嵌合部２６、２７でなく、凹凸係合が可能な１つまたは３つ以上の嵌合部としてもよい。
【００６９】
さらに、結束部２５でなく、電線束１２に外装され、テープ固定される樹脂製の分割筒状体に内側の一対の嵌合部２６、２７を一体に支持させるようなことも考えられる。
【００７０】
以上説明したように、本発明は、収納する電線束が多い場合でも係止作業の作業性が良いワイヤハーネスのプロテクタ挿通構造を提供することができるものであり、電線束の長さ方向の移動をプロテクタによって規制可能なワイヤハーネスのプロテクタ挿通構造全般に有用である。
【符号の説明】
【００７１】
１０  ワイヤハーネス
１１  電線（絶縁被覆電線）
１２  電線束
１５  コルゲートチューブ
１５ａ  スリット
２０  係合部材
２１、２２  第１挿入ガイド面
２５  結束部
２５ａ  バックル部
２５ｂ  バンド部
２６  内側の嵌合部（内側の第１の嵌合部）
２７  内側の嵌合部（内側の第２の嵌合部）
２６ａ、２７ａ  板状スライダ部分
２６ｂ、２７ｂ  支持結合部
２８  追加バックル部
３０  プロテクタ
３１  凹部
３２  プロテクタ本体部
３３  蓋部
３４  挿通孔（電線挿通孔）
３５、３６  凹凸係合部
３７、３８  第２挿入ガイド面
５０  統合プロテクタ
５１  第１のプロテクタ
５１ａ、５２ａ、５３ａ、５４ａ、５５ａ  プロテクタ本体部
５１ｂ、５３ｂ、５８ｂ  蓋部
５２  第２のプロテクタ
５３  第３のプロテクタ
５４  第４のプロテクタ
５５  第５のプロテクタ
５６  本体部
５６ａ、５６ｂ、５８ｂ、５８ｃ  ロック孔部
５７  中蓋部
５７ａ、５７ｂ、５７ｃ、５８ａ  ロック爪部
５８  外蓋部
θ１、θ２  傾斜角度
【図１】
2016171621.tif 000003
【図２】
2016171621.tif 000004
【図３】
2016171621.tif 000005
【図４】
2016171621.tif 000006
【図５】
2016171621.tif 000007
【図６】
2016171621.tif 000008
【図７】
2016171621.tif 000009